(57)【特許請求の範囲】
【請求項１】
診断対象に発射した超音波のエコー信号に対応する画像表示用信号を生成する本体と、
その表示用信号に基づき画像を表示可能な表示部と、
オペレータの命令入力用の操作部と、
超音波を発射するプローブとを備え、
その表示部は操作部に、互いに直交する２つの軸中心に回転可能に取り付けられ、
その表示部と操作部は、その本体に着脱可能とされ、
その表示部は、本体に取り付けられた状態で画像表示面が本体の面に対向し、
その操作部は、本体に取り付けられた状態でスイッチ配置面が本体の面に対向する身に付けて持つことができる携帯形超音波診断装置。
【発明の詳細な説明】
【０００１】
【発明の属する技術分野】
本発明は、患者の往診等に利用できる携帯形超音波診断装置に関する。
【０００２】
【従来の技術】
携帯形超音波診断装置として、診断対象に発射した超音波のエコー信号に対応する画像表示用信号を生成する本体と、その表示用信号に基づき画像を表示可能な表示部と、オペレータの命令入力用の操作部とを備えるものが用いられている。
【０００３】
従来、その本体と表示部と操作部とは一体とされていた。
【０００４】
【発明が解決しようとする課題】
上記のような携帯形超音波診断装置を例えば往診時に使用する場合、患者に表示画像を示しながら説明等を行なうには、その画像表示面の向きを変えるために装置全体を動かす必要があるため、大きな労力を要した。また、患者のベッドサイド等に装置を配置するスペースがない場合、患者と装置との距離が大きくなり、操作に支障をきたすという問題があった。
【０００５】
本発明は、上記問題を解決することのできる携帯形超音波診断装置を提供することを目的とする。
【０００６】
【課題を解決するための手段】
本発明の携帯形超音波診断装置は、身に付けて持つことができ、診断対象に発射した超音波のエコー信号に対応する画像表示用信号を生成する本体と、その表示用信号に基づき画像を表示可能な表示部と、オペレータの命令入力用の操作部と、超音波を発射するプローブとを備え、その表示部は操作部に、互いに直交する２つの軸中心に回転可能に取り付けられ、その表示部と操作部は、その本体に着脱可能とされ、その表示部は、本体に取り付けられた状態で画像表示面が本体の面に対向し、その操作部は、本体に取り付けられた状態でスイッチ配置面が本体の面に対向することを特徴とする。
この構成によれば、本体から表示部と操作部を取り外して分離することができるので、画像表示面の向きを変えるために装置全体を動かす必要はない。よって、大きな労力を要することなく患者等に表示画像を視認させることができる。また、患者のベッドサイド等に表示部と操作部とを配置するスペースがあれば、装置全体を配置するスペースがなくても操作に支障をきたすことはない。さらに、運搬に際しては本体に表示部と操作部を取り付けることで一体化して運び易くできる。
【０００７】
その操作部に対して、その表示部の画像表示面の向きが相対的に変更可能とされているのが好ましい。
これにより、操作に支障をきたすことなく、また、大きな労力を要することなく画像表示面の向きを変更できる。
【０００８】
その操作部に対して、その表示部は着脱可能とされているのが好ましい。
これにより、その操作部を表示部から取り外して分離することができるので、患者のベッドサイド等に操作部を配置するスペースがなくても、例えばオペレータの膝上等に置くことで操作でき、操作に支障をきたすことはない。また、操作に支障をきたすことなく画像表示面の向きを変更できる。
【０００９】
【発明の実施の形態】
以下、図面を参照して本発明の実施形態を説明する。
【００１０】
図１、図２に示す携帯形超音波診断装置１は、本体２と、表示部３と、操作部４とを備え、その本体２には携帯用に肩掛け用ベルト５が取り付けられている。その表示部３と操作部４は、連結機構６を介して本体２に着脱可能とされている。その本体２のコネクタ端子７に、振動子を内蔵したプローブ８のコネクタ８ａが接続される。そのプローブ８は、装置１の運搬時は本体２に収納スペースを設けて収納してもよいし、本体２とは別に携帯してもよい。
【００１１】
その本体２は、そのプローブ８の振動子から発射する超音波のフォーカス位置の設定や電子スキャンを行なうための送波制御、そのプローブ８により受信したエコー信号の増幅、フィルタリング、圧縮、検波等の信号処理、その処理した信号のＡ／Ｄ変換や標準テレビ信号（複合信号）を生成するためのスキャン変換等を行なう制御装置を含み、その制御装置としては公知のものを用いることができる。
【００１２】
その表示部３は、その本体２により生成される標準テレビ信号に基づき、そのエコー信号に対応する画像を表示するもので、その本体２から例えば同軸ケーブル１５を介して標準テレビ信号を受信する液晶表示器等のフラットパネルディスプレイにより構成できる。その同軸ケーブル１５は、装置１の運搬時は本体２に収納スペースを設けて収納してもよいし、本体２とは別に携帯してもよい。
【００１３】
その表示部３は、本体２に取り付けられた状態で、画像表示面３ａが本体２の上面２ａに対向し、また、外周の一側面３ｂが本体の上面２ａに形成された段差面２ａ′に対向する。その操作部４は、本体２に取り付けられた状態で、スイッチ配置面４ａが本体２の一側面２ｂに対向する。
【００１４】
その操作部４のスイッチ配置面４ａに、診断サイズ、深さ、フォーカス位置等の診断条件や、いわゆるＢモードやＭモード等の画像表示モードを指定するためのオペレータ命令入力用スイッチが配置され、そのオペレータ命令入力信号は例えばケーブル１６を介して本体２に送信される。そのケーブル１６は、装置１の運搬時は本体２に設けた収納スペースに収納するようにしてもよいし、本体２とは別に携帯するようにしてもよい。
【００１５】
その表示部３は操作部４に、一対の側板１１ａ、１１ｂと両側板１１ａ、１１ｂの連結板１１ｃとを有するコ字形の取り付けアーム１１を介して取り付けられている。すなわち、そのコ字形の取り付けアーム１１の連結板１１ｃが、操作部４に、図３に示すように、上記スイッチ配置面４ａに直交する軸心の第１連結シャフト１２を介して、その第１連結シャフト１２の軸中心に回転可能に取り付けられる。また、その取り付けアーム１１の両側板１１ａ、１１ｂが、表示部３に、その第１連結シャフト１２の軸に直交する軸心の一対の第２連結シャフト１３を介して、その第２連結シャフト１３の軸中心に回転可能に取り付けられる。これにより、図３において仮想線で示すように、その表示部３は各連結シャフト１２、１３の軸中心に回転することにより、画像表示面３ａの向きが操作部４に対して相対的に変更可能とされている。
さらに、上記第１連結シャフト１２が操作部４に抜き差し可能とされることで、図２において仮想線で示すように、その操作部４に対して表示部３は着脱可能とされる。
なお、標準テレビ信号の送信用の上記同軸ケーブル１５は、その第２連結シャフト１３に取り付けられるロータリーコネクタを介して表示部３に接続することができる。
【００１６】
その表示部３と操作部４を本体２に対して着脱する連結機構６は、図４の（１）、（２）に示すように、本体２に支軸２１中心に揺動可能に取り付けられるレバー２２と、このレバー２２に支軸２３中心に揺動可能取り付けられるリング２４と、操作部４に固定されるフック２５とを有する。そのレバー２２の揺動によって、そのリング２４がフック２５に引っ掛けられる連結状態と、フック２５から外れる連結解除状態とに切り換えられる。
【００１７】
上記構成によれば、本体２から表示部３と操作部４を取り外して分離することができ、また、その操作部４に対して表示部３の画像表示面３ａの向きが相対的に変更可能とされているので、画像表示面３ａの向きを変えるために装置１全体を動かす必要はなく、操作部４に対して表示部３を回転させるだけでよい。これにより、操作に支障をきたすことなく、また、大きな労力を要することなく画像表示面３ａの向きを変更し、患者等に表示画像を視認させることができる。また、患者のベッドサイド等に表示部３と操作部４とを配置するスペースがあれば、装置１全体を配置するスペースがなくても操作に支障をきたすことはない。さらに、運搬に際しては本体２に表示部３と操作部４を取り付けることで一体化して運び易くできる。また、その操作部４を表示部３から取り外して分離することができるので、患者のベッドサイド等に操作部４を配置するスペースがなくても、例えばオペレータの膝上等に置くことで操作でき、操作に支障をきたすことはなく、また、操作に支障をきたすことなく画像表示面３ａの向きを変更できる。
【００１８】
なお、本発明は上記実施形態に限定されない。例えば、本体２に対する表示部３と操作部４の連結機構や、表示部３と操作部４との連結機構は特に限定されず、例えばネジを介して着脱してもよい。
【００１９】
【発明の効果】
本発明によれば、大きな労力を要することなく表示画像の向きを変えることができ、運搬が容易で、患者のベッドサイド等の小スペースで使用する場合でも操作に支障をきたすことのない、往診時等に用いるのに適した携帯形超音波診断装置を提供できる。
【図面の簡単な説明】
【図１】本発明の実施形態の携帯形超音波診断装置の斜視図
【図２】本発明の実施形態の携帯形超音波診断装置の使用状態での斜視図
【図３】本発明の実施形態の携帯形超音波診断装置における表示部と操作部の動きを示す（１）は側面図、（２）は平面図
【図４】本発明の実施形態の連結機構の（１）は側面図、（２）は平面図
【符号の説明】
２  本体
３  表示部
４  操作部
【図１】
0003637684.tif 000002
【図２】
0003637684.tif 000003
【図３】
0003637684.tif 000004
【図４】
0003637684.tif 000005